(57)【特許請求の範囲】
【請求項１】
表面が均一電位に帯電される像担持体と、
この像担持体の表面に、電位減衰の小さい低濃度部と電位減衰の大きい高濃度部とを含む静電潜像を形成する露光装置と、
上記像担持体表面の静電潜像を現像バイアス電位が印加された現像剤担持体上に保持された現像剤で現像する現像装置と、を備え、
上記現像剤は同一色相でかつ異なる濃度の少なくとも２種類の現像剤を混合してなる混合現像剤であって高濃度現像剤を低濃度現像剤よりも多く混合してあり、上記低濃度現像剤の帯電量を上記高濃度現像剤の帯電量よりも低くするか、又は上記低濃度現像剤の粒形状を上記高濃度現像剤の粒形状よりも球形化してあることを特徴とする画像形成装置。
【請求項２】
表面が均一電位に帯電される像担持体と、
この像担持体の表面に、電位減衰の小さい低濃度部と電位減衰の大きい高濃度部とを含む静電潜像を形成する露光装置と、
上記像担持体表面の静電潜像を現像バイアス電位が印加された現像剤担持体上に保持された現像剤で現像する現像装置と、を備え、
上記現像剤は同一色相でかつ異なる濃度の少なくとも２種類の現像剤を混合してなる混合現像剤であって高濃度現像剤を低濃度現像剤よりも多く混合してあり、上記現像剤担持体を磁性材料で形成すると共に上記低濃度現像剤に添加する磁性粉量を上記高濃度現像剤に添加する磁性粉量よりも少なくしてあることを特徴とする画像形成装置。
【請求項３】
像担持体の表面を均一電位に帯電する帯電工程と、
この像担持体の表面を露光することにより、低濃度部と高濃度部とを含む静電潜像を形成する露光工程と、
上記像担持体表面の静電潜像を現像バイアス電位が印加された現像剤担持体上に保持された現像剤で現像する現像工程とを含み、
上記現像剤が同一色相でかつ異なる濃度の少なくとも２種類の現像剤を混合してなる混合現像剤であって、高濃度現像剤を低濃度現像剤よりも多く混合してあり、低濃度現像剤が高濃度現像剤よりも現像剤担持体から離れやすいことを特徴とする画像形成方法。
【請求項４】
前記低濃度現像剤の帯電量を前記高濃度現像剤の帯電量よりも低くすることによって、低濃度現像剤を高濃度現像剤よりも現像剤担持体から離れやすくしていることを特徴とする請求項３記載の画像形成方法。
【請求項５】
前記低濃度現像剤の粒形状を前記高濃度現像剤の粒形状よりも球形化することによって、低濃度現像剤を高濃度現像剤よりも現像剤担持体から離れやすくしていることを特徴とする請求項３記載の画像形成方法。
【請求項６】
前記現像剤担持体が磁性材料で形成される共に前記低濃度現像剤および前記高濃度現像剤に磁性粉が添加されており、低濃度現像剤に添加する磁性粉量を高濃度現像剤に添加する磁性粉量よりも少ないことを特徴とする請求項３記載の画像形成方法。
【発明の詳細な説明】
【０００１】
【発明の属する技術分野】
本発明は、複写機やプリンタなどの電子写真方式の画像形成装置及び画像形成方法に関する。
【０００２】
【従来の技術】
近年、フルカラー画像出力機器が広く実用化され、テキスト、グラフィック、写真などの種々の画像に対して画質向上の要求が高まっている。
【０００３】
フルカラー画像出力機器としてはインクジェット方式によるものや電子写真方式によるもの等があげられる。
このうちインクジェット方式のフルカラー画像出力機器において、近年、低濃度インク（フォトインク）を用いた６色インク（イエロー、マゼンタ、シアン、ブラック、薄色マゼンタ、薄色シアン）による画像形成方法が考案され、主に写真画像の画質向上に成果をあげている。
【０００４】
低濃度インクを用いた画像形成方法における画質向上の原理について図６（ａ），（ｂ）を参照して説明する。図６（ａ），（ｂ）はそれぞれ画像の低濃度部の拡大図であり、両者の濃度は一致している。図６（ａ）に示すように、従来からある高濃度インクで表現した従来方式による画像の低濃度部は、ドットを小さく形成するのには限界があるため各ドット相互のドット間距離が広くならざるを得ず、見た目には粗い画像になっていた。
一方、図６（ｂ）に示すように、低濃度インクを用いた画像形成方法では、従来方式と同じ濃度を表現しようとすると単位面積当たりのドットの個数が多くなるため、各ドット相互のドット間距離が近づくことにより見た目にきめの細かい良好な画像を得ることができる。ただし、低濃度インクのみを使用すると、画像の高濃度部において画像濃度を確保するためには多量のインクが必要となるため、従来のような高濃度インクも併用して濃度を補うことで低濃度インクの使用量を抑えていた。
【０００５】
ところで、電子写真方式の画像出力機器においても、低濃度トナーと高濃度トナーを用いて上述したような画像の濃度表現方法が可能である。すなわち、画像の低濃度部を表現する場合、低濃度トナーを用いてドット間距離を近くすることによりきめの細かい良好な画像を得ることができる。また、ドット間距離を近づけない場合は、電子写真方式のドットは複数のトナーの集合であるため、低濃度トナーを使用すると、同濃度を表現するためにはドット内のトナーの個数が多くなるため再現のばらつきが画像上で減少することになり、がさつき感のないなめらかな画像が得られる。一方、低濃度トナーのみを使用すると、画像の高濃度部には多量のトナーが必要となり、転写や定着などのプロセスの許容量を越えてしまうため、インクジェット方式の場合と同様に、画像の高濃度部では高濃度トナーを用いて濃度を補うことでトナー使用量の抑制と画像濃度の確保が可能になる。このように、低濃度トナーと高濃度トナーを用いた電子写真方式の画像出力機器では、画像の低濃度部には主に低濃度トナーを優先的に使用し、画像の高濃度部には高濃度トナーを優先的に使用することが好ましい。
【０００６】
【発明が解決しようとする課題】
しかしながら、例えばシアン、薄色シアン、マゼンタ、薄色マゼンタ、イエロー、ブラックの６種類のトナーを用いて画像形成を行おうとすると、単純には各色のトナーにそれぞれ対応した６つの現像装置を設ける必要があるため、コスト高と装置の大型化という問題がある。それに加えて、中間転写方式や転写ドラム方式の場合、６サイクルの潜像形成及び現像を行う必要があるため、画像形成に要する時間が長くなりプリント性能が低下するという問題もある。また、タンデム方式の場合は、各色トナーを収容した現像装置に対応する数の感光体が必要となるため、さらにコスト高になり装置が大型化してしまう。
【０００７】
そこで、本発明の目的は、低濃度トナーと高濃度トナーを用いて低濃度画像部における画質の向上と、高濃度画像部におけるトナー付着量の抑制および画像濃度の確保とを同時に図りながら印刷スピードの低下をもたらさない画像形成装置及び画像形成方法を提供することにある。
【０００８】
【課題を解決するための手段】
上記目的を達成するため、第１の発明の画像形成装置は、表面が均一電位に帯電される像担持体と、
この像担持体の表面に、電位減衰の小さい低濃度部と電位減衰の大きい高濃度部とを含む静電潜像を形成する露光装置と、
上記像担持体表面の静電潜像を現像バイアス電位が印加された現像剤担持体上に保持された現像剤で現像する現像装置と、を備え、
上記現像剤は同一色相でかつ異なる濃度の少なくとも２種類の現像剤を混合してなる混合現像剤であって高濃度現像剤を低濃度現像剤よりも多く混合してあり、上記低濃度現像剤の帯電量を上記高濃度現像剤の帯電量よりも低くするか、又は上記低濃度現像剤の粒形状を上記高濃度現像剤の粒形状よりも球形化してあることを特徴とする。
【０００９】
また、第２の発明の画像形成装置は、表面が均一電位に帯電される像担持体と、
この像担持体の表面に、電位減衰の小さい低濃度部と電位減衰の大きい高濃度部とを含む静電潜像を形成する露光装置と、
上記像担持体表面の静電潜像を現像バイアス電位が印加された現像剤担持体上に保持された現像剤で現像する現像装置と、を備え、
上記現像剤は同一色相でかつ異なる濃度の少なくとも２種類の現像剤を混合してなる混合現像剤であって高濃度現像剤を低濃度現像剤よりも多く混合してあり、上記現像剤担持体を磁性材料で形成すると共に上記低濃度現像剤に添加する磁性粉量を上記高濃度現像剤に添加する磁性粉量よりも少なくしてあることを特徴とする。
【００１０】
【発明の効果】
第１の発明の画像形成装置では、低濃度現像剤よりも高濃度現像剤を多く混合した混合現像剤を用いているので、静電潜像の高濃度部に付着する現像剤の割合は高濃度現像剤の方が低濃度現像剤より必然的に多くなる。これにより、画像の高濃度部の濃度を確保できると共に、低濃度現像剤だけを付着させて濃度を確保する場合に比べて現像剤付着量を抑制できる。
【００１１】
また、低濃度現像剤の帯電量を高濃度現像剤の帯電量よりも低くするか又は低濃度現像剤の粒形状を高濃度現像剤の粒形状よりも球形化してあることで、現像剤担持体に対する低濃度現像剤の付着力が高濃度現像剤のそれよりも比較的小さくなるため、低濃度現像剤の方が現像に供されやすくなる。さらに、現像バイアス電位が印加された現像剤担持体と静電潜像との間の電位ギャップは、電位減衰の小さい低濃度部の方が電位減衰の大きい高濃度部よりも小さくなる。そのため、低電位ギャップとなる低濃度部には、現像に供されやすくなっている低濃度現像剤が優先的に付着する。これにより、低濃度画像部は見た目にきめの細かいなめらかな画像となり、低濃度画像部の画質向上を図れる。
【００１２】
さらにまた、現像装置には低濃度現像剤と高濃度現像剤とが混合された混合現像剤が収容されており、かつ静電潜像の低濃度部及び高濃度部は一度の現像工程で混合現像剤により同時に現像されるため、低濃度現像剤と高濃度現像剤について別々の現像装置を設ける必要がなく、しかも、低濃度現像剤による現像工程と高濃度現像剤による現像工程とを分ける必要がない。したがって、従来の電子写真方式のカラー画像形成装置に比べても現像装置や現像工程が増えることがなく、装置が大型化したり、あるいは、一枚の用紙の画像形成時間が長くなるためにプリント性能が低下するといった問題もない。
【００１３】
第２の発明の画像形成装置についても同様に、低濃度現像剤よりも高濃度現像剤を多く混合した混合現像剤を用いているので、静電潜像の高濃度部に付着する現像剤の割合は高濃度現像剤の方が低濃度現像剤より必然的に多くなる。これにより、画像の高濃度部の濃度を確保できると共に、低濃度現像剤だけを付着させて濃度を確保する場合に比べて現像剤付着量を抑制できる。
【００１４】
また、現像剤担持体を磁性材料で形成すると共に低濃度現像剤に添加する磁性粉量を高濃度現像剤に添加する磁性粉量よりも少なくしてあることで、現像剤担持体に対する低濃度現像剤の付着力が高濃度現像剤のそれよりも比較的小さくなるため、低濃度現像剤の方が現像に供されやすくなる。さらに、現像バイアス電位が印加された現像剤担持体と静電潜像との間の電位ギャップは、電位減衰の小さい低濃度部の方が電位減衰の大きい高濃度部よりも小さくなる。そのため、低電位ギャップとなる低濃度部には、現像に供されやすくなっている低濃度現像剤が優先的に付着する。これにより、低濃度画像部は見た目にきめの細かいなめらかな画像となり、低濃度画像部の画質向上を図れる。
【００１５】
さらにまた、現像装置には低濃度現像剤と高濃度現像剤とが混合された混合現像剤が収容されており、かつ静電潜像の低濃度部及び高濃度部は一度の現像工程で混合現像剤により同時に現像されるため、低濃度現像剤と高濃度現像剤について別々の現像装置を設ける必要がなく、しかも、低濃度現像剤による現像工程と高濃度現像剤による現像工程とを分ける必要がない。したがって、従来の電子写真方式のカラー画像形成装置に比べても現像装置や現像工程が増えることがなく、装置が大型化したり、あるいは、一枚の用紙の画像形成時間が長くなるためにプリント性能が低下するといった問題もない。
【００１６】
【発明の実施の形態】
以下、本発明の実施の形態について添付図面を参照して説明する。図１は、本実施形態の画像形成装置１０の主要部を概略的に示したものである。この画像形成装置１０は、矢印ａ方向に回転駆動される感光体ドラム（像担持体）１２を備えている。感光体ドラム１２の周囲には、その回転方向に沿って順に、帯電装置１４、露光装置１６、４つの現像装置１８，２０，２２，２４及び転写装置２６が配置されている。現像装置１８は現像ローラ１９を備えており、現像装置１８に収用されたシアントナー（現像剤）が回転する現像ローラ１９の外周面上に保持されて感光体ドラム１２の対向部に搬送されるようになっている。現像装置２０，２２，２４についても同様に、現像ローラ２１，２３，２５をそれぞれ備えており、各現像装置２０，２２，２４にそれぞれ収用されたマゼンタトナー（現像剤）、イエロートナー（現像剤）、ブラックトナー（現像剤）が回転する各現像ローラ２１，２３，２５の外周面上に保持されて感光体ドラム１２の対向部にそれぞれ搬送されるようになっている。また、各現像装置１８，２０，２２，２４の現像ローラ１９，２１，２３，２５には現像バイアス電位ＶBがそれぞれ印加されている。
【００１７】
転写装置２６は、矢印ｂ方向に回転駆動される駆動ローラ２８と４つの支持ローラ３０，３２，３４，３６との周囲に掛け渡された無端状の中間転写ベルト３８を有している。中間転写ベルト３８は、ポリカーボネート等の樹脂シート材で形成され、１０5〜１０12（Ω／ｃｍ2）程度の表面電気抵抗になるようにカーボンブラックが分散されている。また、中間転写ベルト３４は、駆動ローラ２８によって駆動されて矢印ｃ方向に回転移動する。さらに、中間転写ベルト３８のうち２つの支持ローラ３０，３２の間に位置する部分は、感光体ドラム１２に接触して一次転写領域４０を形成している。なお、４つの支持ローラ３０，３２，３４，３６は、中間転写ベルト３８の移動に伴って従動回転するのが好ましいが、従動回転しない固定式のものであってもよい。
【００１８】
一方、支持ローラ３６の下方には、矢印ｄ方向に回転駆動される転写ローラ４２が配置されている。転写ローラ４２は例えばシリコンやウレタンなどの発泡ゴム材で形成され、１０5〜１０12（Ω／ｃｍ2）の表面電気抵抗を有するようにカーボンブラックが分散されている。転写ローラ４２と支持ローラ３６との間にある中間転写ベルト３８の領域が二次転写領域４４となっている。用紙等の被転写材４６は、それぞれ回転する中間転写ベルト３８と転写ローラ４２との間を通過して矢印ｅ方向に搬送される。
【００１９】
上記画像形成装置１０では、感光体ドラム１２の表面が帯電装置１４により均一電位に帯電される。その均一帯電した感光体ドラム１２の表面に、露光装置１６から画像情報に応じてレーザビーム１６ａが照射される。これにより、レーザ照射部の電位が減衰して感光体ドラム１２の表面にシアン用静電潜像が形成される。この静電潜像が感光体ドラム１２の回転にしたがって現像装置１８の対向部にくると、現像装置１８の現像ローラ１９上のシアントナーが静電潜像部に静電的に付着して現像され、感光体ドラム１２の表面にシアントナー像が形成される。このシアントナー像が感光体ドラム１２の回転にしたがって一次転写領域４０に移動し、そこでシアントナー像が中間転写ベルト３８に一次転写される。続いて、現像装置２０により感光体ドラム１２上に同様にして形成されたマゼンタトナー像が一次転写領域４０において中間転写ベルト３８上のシアントナー像の上に重ねて一次転写される。続いて、同様にして現像装置２２，２４により感光体ドラム１２上にそれぞれ形成されたイエロートナー像及びブラックトナー像が一次転写領域４０において中間転写ベルト３８上のシアントナー像及びマゼンタトナー像の上に順次重ねて一次転写される。このようにして、中間転写ベルト３８上にカラートナー像が形成される。
【００２０】
中間転写ベルト３８上に形成されたカラートナー像が、中間転写ベルト３８の回転にしたがって二次転写領域４４に移動してくると、この移動に同期して二次転写領域４４に搬送されてきた被転写材４６上にカラートナー像が二次転写される。被転写材４６に転写されたカラートナー像は、被転写材４６が図示しない定着装置を通過する際に定着される。
【００２１】
次に、感光体ドラム１２上における静電潜像及びトナー像の形成について詳述する。
カラー画像形成工程において感光体ドラム１２上には、まず、露光装置１６によりシアントナー像用の静電潜像が形成される。画像形成装置１０において画像濃度は、周期的に配列されたドットの大きさやラインの幅を増減するディザ法もしくはパルス幅変調方式により表現される。このような画像濃度表現方式により感光体ドラム１２上に形成される静電潜像には低濃度部と高濃度部とが含まれている。具体的には、露光装置１６から照射されるレーザビーム１６ａは発光強度に広がり（例えば、半値幅で６０μｍ程度）をもっているため、均一電位に帯電した感光体ドラム１２に対するレーザの連続発光時間が短いと電位減衰の小さい（電位減衰が飽和レベルにまで達しない）低濃度部が形成され、レーザ連続発光時間が長いと光量が加算されて電位減衰の大きい（電位減衰が飽和レベルまで達している）高濃度部が形成される。このように形成された低濃度部と高濃度部とを含む静電潜像が、シアントナーを収用した現像装置１８により現像される。
【００２２】
現像装置１８に収用されているシアントナーは、同一色相でかつ異なる濃度の２種類のトナー、すなわち高濃度シアントナーと低濃度シアントナーとが混合された混合トナーであり、かつ高濃度シアントナーの分量が低濃度シアントナーよりも多く混合されている。これにより、現像ローラ１９上に保持された混合トナーが一様に現像に供された場合には、感光体ドラム１２上に付着するトナーのうち高濃度シアントナーの占める割合が多くなる。
また、低濃度シアントナーの帯電量を高濃度シアントナーの帯電量よりも低くするか、又は低濃度シアントナーの粒形状を高濃度シアントナーの粒形状よりも球形化してある。これにより、現像ローラ１９に対する付着力は、低濃度シアントナーの方が高濃度シアントナーよりも比較的小さくなるため、低濃度シアントナーの方が現像ローラ１９から離れやすく現像に供されやすくなっている。
【００２３】
ここで、図２に高濃度シアントナーと低濃度シアントナーのそれぞれの現像特性を示す。図２のグラフは、現像バイアス電位ＶBが印加された現像ローラ１９と、感光体ドラム１２上の静電潜像との間の現像電位ギャップと、感光体ドラム１２上に付着するトナー量である現像量との関係を示している。高濃度シアントナーの現像特性は、グラフ中（イ）で示されるように、電位ギャップΔＶ２までは電位ギャップが大きくなるにつれて現像量が増加する。
一方、グラフ中（ロ）で示される現像特性の低濃度度シアントナーは、上述したように現像ローラ１９との付着力が比較的小さくなっているために、ある大きさの電位ギャップΔＶ１までは高濃度シアントナーよりも現像量が多く、かつ電位ギャップが大きくなるにつれて現像量が増加するが、ΔＶ１以上に電位ギャップが大きくなっても、すでに現像ローラ１９上の低濃度シアントナーはすべて現像に供されてしまっているため、感光体ドラム１２上への現像量は飽和して変わらなくなる。
【００２４】
このような現像特性を有する２種類のシアントナーによって感光体ドラム１２上の静電潜像が現像される様子を図３を参照して説明する。図３は、静電潜像を構成する低濃度部５０と高濃度部５２の電位状態とトナー付着状態を示す。低濃度部５０の電位は、電位減衰の飽和点であるＶ３まで達しておらず、感光体ドラム１２の帯電電位であるＶ０と上記Ｖ３の中間ぐらいになっている。これに対し、高濃度部５２の電位は、電位減衰の飽和点であるＶ３に達している。
【００２５】
このような電位状態にある低濃度部５０と高濃度部５２に、現像ローラ１９上に保持されたトナーが付着して現像されることになるが、図３に示すように、現像バイアス電位がＶBの現像ローラ１９と低濃度部５０及び高濃度部５２の電位ギャップはそれぞれΔＶ１，ΔＶ２となっている。図２に示したように、電位ギャップΔＶ１の低濃度部５０には低濃度シアントナー５４の方が高濃度シアントナー５６よりも多く付着する一方、電位ギャップΔＶ２である高濃度部５２には高濃度シアントナー５６の方が低濃度シアントナー５４よりも多く付着する。ただし、高濃度部５２に低濃度シアントナー５４がある程度付着することは避けられないので、高濃度部５２においても従来と同一付着量で同一の画像濃度を得るためには、高濃度シアントナーを従来のものよりもさらに高濃度化する必要がある。
【００２６】
このようにして感光体ドラム１２上において静電潜像の低濃度部５０に低濃度シアントナー５４を優先的に付着させ、かつ高濃度部５２に高濃度シアントナー５６をより多く付着させたシアントナー像を得ることができる。感光体ドラム１２上に形成されたシアントナー像は、一次転写領域４０において中間転写ベルト３８に転写される。
【００２７】
続いて、感光体ドラム１２上に形成されるマゼンタトナー像についても同様に、現像装置１６には低濃度マゼンタトナーと高濃度マゼンタトナーとが混合して収用されており、この混合トナーによりマゼンタトナー像が形成され、中間転写ベルト３８上のシアントナー像の上に転写される。続いて、従来方式によりそれぞれ一種類のイエロートナー及びブラックトナーによって形成されたイエロートナー像とブラックトナー像が中間転写ベルト３８上のシアントナー像及びマゼンタトナー像の上に順次転写され、これによりカラートナー像が形成される。
【００２８】
以上に説明したように、本実施形態の画像形成装置１０によれば、シアントナー及びマゼンタトナーについては、低濃度トナーと高濃度トナーとを混合した混合トナーを用い、かつ低濃度トナーよりも高濃度トナーを多く混合しているので、静電潜像の高濃度部に付着するトナーの割合は高濃度トナーの方が低濃度トナーより当然に多くなる。これにより、画像の高濃度部の濃度を確保できると共に、低濃度トナーだけを付着させて濃度を確保する場合に比べてトナー付着量を抑制できる。
【００２９】
また、低濃度トナーの帯電量を高濃度トナーの帯電量よりも低くするか又は低濃度トナーの粒形状を高濃度トナーの粒形状よりも球形化してあることで、現像ローラ１９，２１に対する低濃度トナーの付着力が高濃度トナーのそれよりも比較的小さくなるため、低濃度トナーの方が現像に供されやすくなる。さらに、現像バイアス電位ＶBが印加された現像ローラ１９，２１と静電潜像との間の電位ギャップは、感光体ドラム１２の帯電電位からの電位減衰が小さい低濃度部５０の方が電位減衰の大きい高濃度部５２よりも小さい。そのため、低電位ギャップとなる低濃度部５０には、現像に供されやすくなっている低濃度トナー５４が優先的に付着する。これにより、低濃度画像部は見た目にきめの細かいなめらかな画像となり、低濃度画像部の画質向上を図れる。
【００３０】
さらにまた、現像装置１８，２０には低濃度トナーと高濃度トナーとが混合された混合トナーが収容されており、かつ静電潜像の低濃度部５０及び高濃度部５２は一度の現像工程で混合トナーにより同時に現像されるため、低濃度トナーと高濃度トナーについて別々の現像装置を設ける必要がなく、しかも、低濃度トナーによる現像工程と高濃度トナーによる現像工程とを分ける必要がない。したがって、従来の電子写真方式のカラー画像形成装置に比べても現像装置や現像工程が増えることがなく、装置が大型化したり、あるいは、一枚の用紙の画像形成時間が長くなるためにプリント性能が低下するといった問題もない。
【００３１】
ところで、上記画像形成装置１０では、シアントナー及びマゼンタトナーについて、低濃度トナーの帯電量を高濃度トナーの帯電量よりも低くするか、又は低濃度シアントナーの粒形状を高濃度シアントナーの粒形状よりも球形化することにより、低濃度トナーの現像ローラに対する付着力を比較的小さくして現像に供されやすくなるようにしたが、同様の効果を得るための別の方法として、高濃度トナーを低濃度トナーよりも多く混合し、かつ、現像ローラを磁性材料で形成すると共に低濃度トナーに添加する磁性粉量を高濃度トナーに添加する磁性粉量よりも少なくしてもよい。この場合、高濃度トナーの方が低濃度トナーよりも現像ローラとの間の磁力により強く保持されるため、低電位ギャップとなる静電潜像の低濃度部については低濃度トナーが優先的に付着し、高電位ギャップとなる静電潜像の高濃度部には高濃度トナーがより多く付着する。
【００３２】
この場合の高濃度トナー及び低濃度トナーの現像特性を図４のグラフに示し、静電潜像の低濃度部と高濃度部へのトナーの付着状態を図５に示す。図４のグラフ中（イ）で示される高濃度トナーは、現像電位ギャップがΔＶ１より小さいときには全く現像に供されず、この電位ギャップ範囲では低濃度トナーだけが現像に供されることになる。したがって、図５に示すように、電位ギャップがΔＶ１である静電潜像の低濃度部５０には、低濃度トナー５４だけが付着する。一方、図４のグラフ中（ロ）で示される低濃度トナーは、現像電位ギャップがΔＶ２になったときにはすでに飽和して現像量が一定となっているため、このときには高濃度トナーの方がより多く現像に供されることになる。したがって、図５に示すように、電位ギャップがΔＶ２である静電潜像の高濃度部５２には、高濃度トナー５６がより多く付着する。
【００３３】
このように、現像ローラを磁性材料で形成すると共に、高濃度トナーに低濃度トナーより多くの磁性粉を添加することによっても、上記画像形成装置１０と同様の効果を奏することができる。
【００３４】
なお、本実施形態では高濃度トナーと低濃度トナーの２種類のトナーを混合した混合トナーを使用したが、本発明は高濃度、中濃度、低濃度の３種類のトナーを混合した混合トナーを使用した場合にも適用できる。また、本実施形態ではカラー画像形成装置を例にあげて説明したが、本発明はモノカラー（例えば、ブラック）の画像形成装置にも適用できる。
【図面の簡単な説明】
【図１】  本実施形態の画像形成装置の概略構成図。
【図２】  高濃度トナーおよび低濃度トナーの現像電位ギャップと現像量の関係を示すグラフ。
【図３】  静電潜像の低濃度部および高濃度部の電位状態とトナー付着状態を示す図。
【図４】  現像ローラを磁性材料で形成すると共にトナーに添加する磁性粉の量を変えた場合の、高濃度トナーおよび低濃度トナーの現像電位ギャップと現像量の関係を示すグラフ。
【図５】  現像ローラを磁性材料で形成すると共にトナーに添加する磁性粉の量を変えた場合の、静電潜像の低濃度部および高濃度部の電位状態とトナー付着状態を示す図。
【図６】  従来のインクジェット方式による低濃度画像部の拡大図であって、（ａ）は通常濃度のインクを使用した場合の拡大図で、（ｂ）は薄色インクを使用した場合の拡大図。
【符号の説明】
１０…画像形成装置、１２…感光体ドラム（像担持体）、１６…露光装置、１８，２０，２２，２４…現像装置、１９，２１，２３，２５…現像ローラ（現像剤担持体）、５０…静電潜像の低濃度部、５２…静電潜像の高濃度部、５４…低濃度トナー（低濃度現像剤）、５６…高濃度トナー（高濃度現像剤）。
【図１】
0004103200.tif 000002
【図２】
0004103200.tif 000003
【図３】
0004103200.tif 000004
【図４】
0004103200.tif 000005
【図５】
0004103200.tif 000006
【図６】
0004103200.tif 000007